(57)【要約】【課題】  従来のスイッチ構成の場合、構成上２つの接点部が独立して可動できないので、ゴミ、塵等が一方の接点と基板の導電部の間に入り込むと、一体的に他方も導電部から離れるため、スイッチ装置全体として非道通になる。このため、スイッチの信頼性が不十分である。  また、別体の押圧部材がスイッチとは別の部材（上部外装）と嵌合するように構成されており、十分な嵌合長がないと、押圧部材がかじりを起こし、作動不良の原因となる。【解決手段】  導電部を有する基板と、少なくとも２つの位置の移動に伴い前記基板の導電部と当接及び非当接する複数の接点部を備えたバネ接片と、該バネ接片と当接し、押圧する押圧部材とを有するスイッチを有し、該押圧部材の接片の当接面まで段差を設け、接点部の当接状態が異なるように構成した。【選択図】  図１
2005345893.tif 000002
【特許請求の範囲】
【請求項１】
カメラの上部に設けられたストロボを駆動制御する装置において、導電部を有する基板と、少なくとも２つの位置間の移動に伴い前記基板の導電部と当接及び非当接する接点部を備えた複数のバネ接片と、該バネ接片と当接し押圧する押圧部材とを有するスイッチを有し、該押圧部材の複数のバネ接片に対する当接状態がそれぞれ異なるように構成したことを特徴とするストロボ駆動制御装置。
【請求項２】
前記押圧部材のバネ切片に対する当接部分に段差を設けたことを特徴とする請求項１記載のストロボ駆動制御装置。
【請求項３】
カメラの上部に設けられたストロボは回動自在に回転軸に枢支されていて、前記押圧部材は回転軸の近傍に設けられていることを特徴とする請求項１又は２記載のストロボ駆動制御装置。
【請求項４】
前記複数のバネ接片の内、少なくとも２つの位置間の移動に伴い前記基板の導電部と当接及び非当接する接点部を設けた複数のバネ接片と、それとは別にグランド接片を有し、該グランド接片は前記基板に常に弾性的に当接していることを特徴とする請求項１乃至３記載のストロボ駆動制御装置。
【請求項５】
前記ストロボは収納位置と発光位置とに回転して移動可能であり、前記バネ接片が前記収納位置と前記発光位置との間で発生する信号を切り替えるようにしたことを特徴とする請求項１乃至４記載のストロボ駆動制御装置。
【発明の詳細な説明】
【技術分野】
【０００１】
本発明は、ストロボ駆動制御装置に関するもので、詳しくは使用状態と非使用状態とで所定の軸を中心に回動するストロボを内蔵したカメラのポップアップ機構の回動動作に連動し、ポップアップを検知するためのスイッチの構造に特徴があるもので、押圧部材の複数のバネ接片に対する当接状態がそれぞれ異なるように構成したものである。
【背景技術】
【０００２】
図１３及び図１４は、従来構成のスイッチを配設したカメラのストロボ装置図であり、
図１３（ａ）はストロボ発光部を含む上蓋部ユニットの斜視図、図１３（ｂ）は上蓋部のスイッチ部を断面にした斜視図、図１４はスイッチの構成を示す分解斜視図を示している。
【０００３】
これらの図を用いて従来のスイッチ構成について説明する。
【０００４】
この種のスイッチ装置１０４としては、スイッチ接片１０５とグランド接片１０７、これらの間に介在するスペーサ１０６により構成されている。接点部１０５ａは２点で当接するように、スイッチ接片１０５の端部より少し内側に長孔が設けられている。
【０００５】
以上の各部品で構成されるスイッチ装置１０４が、カメラの上部外装１０２の裏面にビス締めされる。また、ストロボユニットの回転軸１０２ａから離れた位置にスイッチ接片１０５の先端部１０５ｂを押圧する押圧部材１０３を配置している。
【０００６】
スイッチ動作としては、ストロボユニット１０１を発光位置から収納位置へ移動させた際，ストロボユニット１０１と押圧部材１０３が当接し，該押圧部材１０３を押し下げ、スイッチ接片１０５の先端部１０５ｂと当接する．そうすると、スイッチ接片１０５が弾性的に変形しながら接点部１０５ａとグランド接片１０７とが当接する。こうして、スイッチ装置１０４は導通状態となる。
【特許文献１】特開平０９−０４３６８５号公報
【発明の開示】
【発明が解決しようとする課題】
【０００７】
しかしながら、図１４に示すスイッチ構成の場合、構成上長孔で分割された２つの接点部が存在するものの、これらの接点部は独立して可動することができないので、ゴミ、塵等が一方の接点と基板の導電部の間に入り込むと、他方も一体的に導電部から離れるため、スイッチ装置全体としては非導通になってしまう。このため、スイッチの信頼性が不十分である。
【０００８】
また、別体の押圧部材がスイッチとは別の部材（上部外装）と嵌合するように構成されており、十分な嵌合長がないと、押圧部材がかじりを起こし、作動不良の原因となる。
【０００９】
そこで、本出願に関わる第１の発明の目的は、スイッチの信頼性を向上させたスイッチ装置を提供することにあり、詳しくは、複数のスイッチ接片の接点部を独立して可動させることができ、ゴミ、塵等が接点の一方と基板の導電部の間に入り込み非導通状態になっても、他方の接片が導通状態になるように構成したものであり、また、押圧部材が他の部材と嵌合させる必要がなく、かじりを起こすことがないスイッチを構成したものである。
【課題を解決するための手段】
【００１０】
本出願に係る発明の目的を実現する第１の構成は、カメラの上部に設けられたストロボを駆動制御する装置において、導電部を有する基板と、少なくとも２つの位置間の移動に伴い前記基板の導電部と当接及び非当接する接点部を備えた複数のバネ接片と、該バネ接片と当接し押圧する押圧部材とを有するスイッチを有し、該押圧部材の複数のバネ接片に対する当接状態がそれぞれ異なるように構成したことを特徴とする。
【００１１】
本出願に係る発明の目的を実現する第２の構成は、前記押圧部材のバネ切片に対する当接部分に段差を設けたことを特徴とする。
【００１２】
本出願に係る発明の目的を実現する第３の構成は、カメラの上部に設けられたストロボは回動自在に回転軸に枢支されていて、前記押圧部材は回転軸の近傍に設けられていることを特徴とする。
【００１３】
本出願に係る発明の目的を実現する第４の構成は、前記複数のバネ接片の内、少なくとも２つの位置間の移動に伴い前記基板の導電部と当接及び非当接する接点部を設けた複数のバネ接片と、それとは別にグランド接片を有し、該グランド接片は前記基板に常に弾性的に当接していることを特徴とする。
【００１４】
本出願に係る発明の目的を実現する第５の構成は、前記ストロボは収納位置と発光位置とに回転して移動可能であり、前記バネ接片が前記収納位置と前記発光位置との間で発生する信号を切り替えるようにしたことを特徴とする。
【発明の効果】
【００１５】
本出願に係る発明の目的を実現する第１の構成によれば、スイッチの複数のバネ接片が独立可動可能で、ゴミ、塵等が接点の一方と基板の導電部の間に入り込み非導通状態になっても、他方の接片が導通状態になるように構成しことにより、スイッチの信頼性を向上させることができる。
【００１６】
本出願に係る発明の目的を実現する第２の構成によれば、ゴミ、塵等が接点の一方と基板の導電部の間に入り込み非導通状態になっても、他方の接片が導通状態となるように構成したことにより、スイッチの信頼性を向上させることができる。
【００１７】
また、押圧部材をスイッチ接片と一体的に設けたことで、押圧部材が他の部材と嵌合することなく作動させることができるので、かじりを起こすことがない。
【００１８】
本出願に係る発明の目的を実現する第３の構成によれば、敏感度の低く抑えたスイッチを構成することができ、よりアップ位置の近くでのスイッチ切替可能な設計がし易い。
【００１９】
本出願に係る発明の目的を実現する第４の構成によれば、別体のグランド接片の追加や、グランド接片の半田付け作業を必要としないため、コストダウンを図ることができる。
【発明を実施するための最良の形態】
【００２０】
本発明の実施例を示す各図に関して、図１は本発明のストロボポップアップの検知スイッチ機構を示す斜視図、図２（ａ）は本発明のストロボポップアップの検知スイッチを押圧する押圧部材の背面図、図２（ｂ）は図２（ａ）における側面図、図３は係止解除機構を用いたカメラの部分斜視図、図４はカメラの外観斜視図、図５（ａ）はカメラ本体内部構成を示す正面図、図５（ｂ）は図５（ａ）における上面図、図６（ａ）は図４のストロボがポップダウンした状態の正面図、図６（ｂ）は図６（ａ）のストロボがポップアップした状態の正面図、図７（ａ）は本発明のストロボポップアップ検知スイッチのＯＮ状態を示す右側面図、図７（ｂ）は本発明のストロボポップアップ検知スイッチのＯＦＦ状態を示す右側面図、図８はストロボ係止解除機構の駆動部から係止部品までの機構配置斜視図、図９はストロボ発光部ユニットの外装部品をはずした斜視図、図１０はストロボ発光部を含むカメラ上外装ユニットの構成配置斜視図、図１１は係止解除機構とストロボ発光部ユニットまでの背面図、図１２（ａ）は図１１のストロボ発光部がポップダウン位置にあるときの係止解除機構の動力伝達部分の拡大図、図１２（ｂ）は図１１のストロボ発光部がポップアップ位置にあるときの係止解除機構の動力伝達部分の拡大図を示している。
【００２１】
図１乃至図１２（ｂ）を用いて、本発明に係るストロボポップアップ検知スイッチのメカの構成について説明する。
【００２２】
図４において，１は本発明のポップアップ検知スイッチを用いたカメラ、２は係止解除機構により係止されるストロボユニット、３はカメラ１の上部外装、４は撮影モード変更するためのダイヤル、５は撮影操作するレリーズボタン、６はカメラ１の前部外装、７は撮影レンズ鏡筒、Ｅは撮影光学系の光軸、８は係止解除機構を手動で解除するための解除ボタンを示している。
【００２３】
図３において、９は撮影レンズを着脱可能に保持するためのレンズマウント、１２は撮影レンズ７からの光をファインダへ導くためのＥ面ミラ−、１３は同様のペンタミラ−である。１１は不図示のフィルムへの露光を制御するシャッタを駆動するシャッタ駆動ユニットである。３５は、ストロボユニット２を収納位置から発光位置へ移動させるため、係止手段を解除する駆動源であるソレノイド、３２は駆動伝達手段を構成する動力伝達レバー、３４はソレノイド３５と動力伝達レバー３２を保持するソレノイド地板である。３３は、動力伝達レバー３２をソレノイド地板３４に回動可能にかしめるカシメピン、３０はストロボユニット２を収納位置に係止する係止手段であるところのフックレバーである。
【００２４】
上記部品は、前板１０に組み付けられユニット状態でカメラ本体１４にビス締めされる。
【００２５】
次にストロボユニット２の係止手段解除機構の構成について図３、図５等を用いて説明する。
【００２６】
ソレノイド３５は、レンズマウント９の後方で、前板１０の側面とシャッタ駆動ユニット１１、スプール室１５に囲まれる空間に配置され、出力軸３５ａはカメラ上下方向に平行になっている。この状態で、ソレノイド３５の出力軸３５ａと動力伝達レバー３２の入力部３２ｃが係合するように、ソレノイド地板３４にソレノイドビス３６でビス締めされ、ユニット状態で前板１０にビス締め固定される。
【００２７】
フックレバ−３０はレンズマウント９の上部でカメラ１の前面側に配置され、
前板１０に設けたＬ字状の突起部１０ａ、１０ｂがフックレバー３０の穴部３０ｄ、３０ｅに嵌合し、左右方向に摺動可能に組付けられる。また、フックレバー３０の入力軸３０ｇと動力伝達レバー３２の出力部３２ａとが係合するように配置する。
【００２８】
この状態でフックレバー３０のバネ掛３０ｆと前板１０のバネ掛突起部１０ｃとの間に、引張りバネ３１を掛け、フックレバー３０をカメラ正面に向かって右側に付勢している。
【００２９】
動力伝達レバー３２は、先に述べたように入力部３２ｃとソレノイド３５の出力軸３５ａ、出力部３２ａとフックレバー３０の入力軸３０ｇとがそれぞれ係合しカシメピン３３に回動可能に組み付けられソレノイド３５の下方向の引っ張り力を左右方向に変換している。
【００３０】
このとき動力伝達レバー３２の出力部３２ａとフックレバー３０の入力軸３０ｇがカメラに向かって右側（図８では背面視しているため左側）のカム面３２ｂと当接してフックレバー３０を移動させる。
【００３１】
ここでカム面３２ｂは、フックレバー３０の移動量を出すために入力軸３０ｇ側に中心を持つ円弧状をしている。
【００３２】
また、動力伝達レバー３２にはカシメピン３３からフックレバー３０寄りに錘部材３７が固着され、これによりカメラを落下させた際にソレノイド３５の出力軸３５ａの慣性力に抗する反力を発生することができるので、落下衝撃による係止外れを防止し、結果的に不用意なストロボポップアップを防止することができる。
【００３３】
次に、ストロボユニット２の内部構成について図９を用いて説明する。
【００３４】
４１はストロボ光を拡散させる発光パネル、４４は発光部であるところのキセノン管、４３はキセノン管４４からの光を反射させる反射笠である。４５はキセノン管４４を反射笠４３側に付勢保持するキセノン管ゴム、４７は前記発光パネル４１に挿入され、ストロボ発光の光を導光するグラスファイバである。４６は実装素子、４９は不図示のリード線がストロボケース４２に固着され、ストロボユニット２を発光位置側へ付勢するト−ションバネである。該ト−ションバネ４９は、回転中心であるところのビス４８によって上部外装３に回動可能に保持されている。外装を構成するストロボカバ−４０は、ストロボケ−ス４２にビス止め固定することで、ストロボユニット２はカメラ１の上部でカメラ上部外装３に組み付けられる。
【００３５】
次に，ストロボユニット２のポップアップ検知のためのスイッチ６０の構成について図１，図２等を用いて説明する．ストロボユニット２のポップアップ検知を行うスイッチ６０がストロボユニット２の正面に向かって右下に配設されている。このスイッチ６０は接片６０ａ，６０ｂを有し，接片６０ａは，基板７０に対し２つの接点部６０ｄ，６０ｅで当接するように，先端部が二股に分かれ（６０ｆ，６０ｇ），一方の接片にはストロボケース４２のカム面４２ａに当接する当接面６２ａと，他方の接片と当接する段差面６２ｂ，を有した押圧部材６２が突起部６２ｃにより熱かしめにて固定されている。
【００３６】
また，接片６０ｂはグランド接片として基板７０に常に当接しており，スイッチ６０はビス６１により，上部外装３の裏面側からビス締め固定されている。
【００３７】
次に、ストロボユニット２が収納待機位置から発光位置へ移動する際の動きについて説明する。上記構成により図４のようにストロボユニット２が収納位置にあるとき、撮影者がレリーズボタン５を押すと、不図示のカメラの中央処理装置であるＣＰＵからの命令によりソレノイド３５に一定の電圧がかけられる。これにより、出力軸３５ａをカメラ下方に吸引し、動力伝達レバー３２の入力部３２ｃを引き下げる。吸引力が動力伝達レバー３２の回転によりカメラの上下方向から左右方向へと変換され、フックレバー３０の入力軸３０ｇをカメラ正面に向かって左方向へと移動させる。このときフックレバー３０は、引張りバネ３１の力に抗して引っ張られ係止爪３０ａ、３０ｂがストロボユニットの係止部４２ａ、４２ｂから解除される。この動作によりストロボユニット２はトーションバネ４９の力により発光位置まで持ち上がり、上部外装３に設けた不図示のストッパとストロボケース４２のストッパ部４２ｃが当接して停止する。実際にはストッパ部４２ｃは、左右で一対設けられているが一方は図示を省略している。
【００３８】
以上のような構成により、カメラ側で自動的にストロボをポップアップさせる。
【００３９】
次に手動によるストロボポップアップについて説明する。撮影者が自分の意志でストロボをポップアップさせたいときには、前部外装６に組みつけられた解除ボタン８を押すことにより、解除ボタン８の奥に形成された凸部がフックレバー３０の当接面３０ｃに当接し、引張りバネ３１の力に抗してフックレバー３０をカメラ１の正面向かって左側に移動させる。そして、係止爪３０ａ、３０ｂがストロボユニットの係止部４２ａ、４２ｂから解除されることによりストロボユニット２はトーションバネ４９の力により発光位置まで持ち上がり上部外装３に設けた不図示のストッパとストロボケース４２のストッパ部４２ｃが当接して停止する。
【００４０】
上述のようにストロボユニット２が収納位置から発光位置まで回動する途中に，ポップアップ検知スイッチがＯＮ状態からＯＦＦ状態に切り替わる。その動作について説明する。
【００４１】
ストロボユニット２が、図７（ａ）に示すように収納位置にあるとき，スイッチ６０の接点６０ｄ，６０ｅが基板７０に当接しＯＮ状態を保っている。
【００４２】
この状態からストロボユニット２が発光位置へと移動を開始すると，回動途中でストロボケース４２に設けたカム面４２ａと押圧部材６２の当接面６２ａとが当接し，押圧部材６２を押し下げる。このとき，スイッチ６０の接片６０ｆは押圧部材６２と一体的に押し下げられ，接点６０ｄが基板７０から離れる。このとき，接片６０ｅは基板７０と当接しているため，ＯＮ状態である。
【００４３】
その後さらにストロボユニット２が発光位置へ回動していくと，押圧部材６２の段差面６２ｂと接片６０ｇが当接し，押し下げられる．これにより，接点６０ｅが基板７０から離れ，スイッチ６０はＯＦＦ状態になる。
【００４４】
最終的に図７（ｂ）に示すように，ストロボユニット２が発光位置に達し，スイッチ６０の接点６０ｄ，６０ｅは基板７０から完全に離れた状態となる。
【図面の簡単な説明】
【００４５】
【図１】本発明の実施形態で、ストロボポップアップの検知スイッチ機構を示す斜視図である。
【図２】（ａ）は本発明の実施形態で，ストロボポップアップの検知スイッチを押圧する押圧部材の背面図である。（ｂ）は本発明の実施形態で，図２（ａ）における側面図である。
【図３】本発明の実施形態で、係止解除機構とストロボユニットの機構配置斜視図である。
【図４】本発明の実施形態で、カメラの外観斜視図である。
【図５】（ａ）は本発明の実施形態で、カメラ本体の内部構成を示す正面図である。（ｂ）は本発明の実施形態で、カメラ本体の内部構成を示す上面図である。
【図６】（ａ）は本発明の実施形態で、ストロボがポップダウンした状態の正面図である。（ｂ）は本発明の実施形態で、ストロボがポップアップした状態の正面図である。
【図７】（ａ）は本発明の実施形態で、ストロボポップアップ検知スイッチのＯＮ状態を示す右側面図である。（ｂ）は本発明の実施形態で、ストロボポップアップ検知スイッチのＯＦＦ状態を示す右側面図である。
【図８】本発明の実施形態で、ストロボ係止解除機構の駆動部から係止部品までの機構配置斜視図である。
【図９】本発明の実施形態で、ストロボ発光部ユニットの外装部品をはずした斜視図である。
【図１０】本発明の実施形態で、ストロボ発光部を含むカメラ上部外装ユニットの構成配置斜視図である。
【図１１】本発明の実施形態で、係止解除機構とストロボ発光部ユニットまでの背面図である。
【図１２】（ａ）は本発明の実施形態で、図１１のストロボ発光部がポップダウン位置にあるときの係止解除機構の動力伝達部分の拡大図である。（ｂ）は本発明の実施形態で、図１１のストロボ発光部がポップアップ位置にあるときの係止解除機構の動力伝達部分の拡大図である。
【図１３】（ａ）は従来例を示すストロボ発光部を含む上蓋部ユニットの斜視図である。（ｂ）は従来例を示す上蓋部のスイッチ部を断面にした斜視図である。
【図１４】従来例を示すスイッチの構成を示す分解斜視図である。
【符号の説明】
【００４６】
１  カメラ
２  ストロボユニット
Ｅ  撮影光軸
９  マウント
１４  本体
３０  フックレバー
３５  ソレノイド
３７  錘部材
４０  ストロボカバー
４１  発光パネル
４２  ストロボケース
４３  反射傘
４４  キセノン管
６０  スイッチ
６０ａ，６０ｂ  接片
６０ｃ，６０ｄ，６０ｅ  接点
６０ｆ、６０ｇ  接片
６２  押圧部材
６２ａ  当接面
６２ｂ  段差面
６２ｃ  突起部
７０  基板
【図１】
2005345893.tif 000003
【図２】
2005345893.tif 000004
【図３】
2005345893.tif 000005
【図４】
2005345893.tif 000006
【図５】
2005345893.tif 000007
【図６】
2005345893.tif 000008
【図７】
2005345893.tif 000009
【図８】
2005345893.tif 000010
【図９】
2005345893.tif 000011
【図１０】
2005345893.tif 000012
【図１１】
2005345893.tif 000013
【図１２】
2005345893.tif 000014
【図１３】
2005345893.tif 000015
【図１４】
2005345893.tif 000016